(57)【特許請求の範囲】
【請求項１】
使用者のシャッタ操作に応じた撮像、又は使用者のシャッタ操作に基づかない自動撮像動作により、被写体の撮像画像データを得、該撮像画像データの保存処理を行う撮像手段と、
現在位置情報を検出する位置検出手段と、
日時情報を計数する日時計数手段と、
使用者の休日情報を示すカレンダー情報を記憶する記憶手段と、
上記位置検出手段で得られた位置情報に基づいて行動履歴情報の更新を行うとともに、上記使用者のシャッタ操作に基づかない自動撮像が上記撮像手段により実行される際に、撮像動作設定に基づく撮像動作として優位設定の場合は、上記非優位設定の画質設定よりも高画質となる画質設定、又は上記非優位設定の画サイズ設定よりも大サイズとなる画サイズ設定、又は上記非優位設定の撮像間隔設定よりも撮像間隔時間が短くなる撮像間隔時間設定、又は上記非優位設定のフレームレート設定よりも高フレームレートとなるフレームレート設定とする撮像動作設定を行い、上記位置検出手段で検出される現在の位置情報によって判定される場所が、過去に所定回数以上訪れていない場所であると判別した場合は、上記撮像動作設定として優位設定を行い、一方、上記位置検出手段で検出される現在の位置情報によって判定される場所が、過去に所定回数以上訪れた場所であると判別した場合は、上記撮像動作設定として非優位設定を行うことにより、撮像動作設定に基づく撮像動作を上記撮像手段に実行させる制御手段と、
を備え、
上記位置検出手段で検出される現在の位置情報と、上記行動履歴情報と、上記日時計数手段で計数される現在の日時情報と、上記カレンダー情報を用いて、現在が使用者の休日であるか否かの判別し、該判別結果が使用者の休日であると判別された場合は、上記撮像動作設定として優位設定を行う
撮像装置。
【請求項２】
移動速度を検出する速度検出手段と、
地図情報を記憶する記憶手段をさらに備えるとともに、
上記制御手段は、上記位置検出手段で検出される現在の位置情報と、上記行動履歴情報と、上記速度検出手段で検出される移動速度とに基づいて上記撮像動作設定を行い、上記位置検出手段で検出される現在の位置情報と上記地図情報により、現在位置が交通機関の経路であることを判別した場合に、上記撮像動作設定として非優位設定を行う
請求項１に記載の撮像装置。
【請求項３】
使用者のシャッタ操作に応じた撮像、又は使用者のシャッタ操作に基づかない自動撮像動作により、被写体の撮像画像データを得、該撮像画像データの保存処理を行う撮像装置の撮像方法として、
現在位置情報を検出する位置検出ステップと、
日時情報を計数する日時計数ステップと、
使用者の休日情報を示すカレンダー情報を記憶する記憶ステップと、
上記位置検出ステップで得られた位置情報に基づいて行動履歴情報の更新を行う履歴更新ステップと、
上記位置検出ステップで得られた位置情報に基づいて行動履歴情報の更新を行うとともに、上記使用者のシャッタ操作に基づかない自動撮像が上記撮像装置により実行される際に、撮像動作設定に基づく撮像動作として優位設定の場合は、上記非優位設定の画質設定よりも高画質となる画質設定、又は上記非優位設定の画サイズ設定よりも大サイズとなる画サイズ設定、又は上記非優位設定の撮像間隔設定よりも撮像間隔時間が短くなる撮像間隔時間設定、又は上記非優位設定のフレームレート設定よりも高フレームレートとなるフレームレート設定とする撮像動作設定を行い、上記位置検出ステップで検出される現在の位置情報によって判定される場所が、過去に所定回数以上訪れていない場所であると判別した場合は、上記撮像動作設定として優位設定を行い、一方、上記位置検出ステップで検出される現在の位置情報によって判定される場所が、過去に所定回数以上訪れた場所であると判別した場合は、上記撮像動作設定として非優位設定を行うことにより、撮像動作設定に基づく撮像動作を実行する撮像ステップと、
を備え、
上記位置検出ステップで検出される現在の位置情報と、上記行動履歴情報と、上記日時計数ステップで計数される現在の日時情報と、上記カレンダー情報を用いて、現在が使用者の休日であるか否かの判別し、該判別結果が使用者の休日であると判別された場合は、上記撮像動作設定として優位設定を行う
撮像方法。
【発明の詳細な説明】
【技術分野】
【０００１】
本発明は、撮像装置と撮像方法に関し、特に使用者のシャッタ操作によらずに自動的に撮像を行う自動撮像動作に好適な技術に関する。
【背景技術】
【０００２】
【特許文献１】特開２００２−３４０３０号公報
【特許文献２】特開２００７−６６２５１号公報
【０００３】
例えばライフログカメラなどとして、ユーザが装着しているカメラが自動的に定期的な画像撮像を行うことで、ユーザが日常生活で目にする光景を画像データとして記録するカメラが提案されている。このライフログカメラを使用することで、ユーザの行動履歴や思い出などを、画像データとして残すことが可能となる。
【発明の開示】
【発明が解決しようとする課題】
【０００４】
ところでライフログカメラとしては、例えば眼鏡型若しくは頭部装着型の装着ユニットに小型の撮像装置を取り付けて、一定時間間隔で撮像を行い、撮像した撮像画像データを保存する装置を想定することができる。
しかし、このような装置をユーザが装着し日常の行動を行う場合、同じような場所での光景が多数撮像されやすく、ユーザにとってあまり価値のない撮像画像が多数保存されてしまうことが考えられる。例えば通勤、通学などにより、毎日決まった道を通り決まった場所に行く場合、その経路や場所での光景が何度も繰り返し撮像されてしまう。すると撮像装置や、撮像装置から画像データを転送して保存する機器（例えばパーソナルコンピュータ等）において、ユーザにとって価値の低い画像が大量に蓄積されることになり、撮像画像データの保存を行う記録媒体の記録容量をむやみに消費することになってしまう。
【０００５】
そこで本発明は、例えばライフログ用途で自動撮像を行う場合に、より適切な画像撮像が行われるようにすることを目的とする。
【課題を解決するための手段】
【０００６】
本発明の撮像装置は、使用者のシャッタ操作に応じた撮像、又は使用者のシャッタ操作に基づかない自動撮像動作により、被写体の撮像画像データを得、該撮像画像データの保存処理を行う撮像手段と、現在位置情報を検出する位置検出手段と、日時情報を計数する日時計数手段と、使用者の休日情報を示すカレンダー情報を記憶する記憶手段と、上記位置検出手段で得られた位置情報に基づいて行動履歴情報の更新を行うとともに、上記使用者のシャッタ操作に基づかない自動撮像が上記撮像手段により実行される際に、撮像動作設定に基づく撮像動作として優位設定の場合は、上記非優位設定の画質設定よりも高画質となる画質設定、又は上記非優位設定の画サイズ設定よりも大サイズとなる画サイズ設定、又は上記非優位設定の撮像間隔設定よりも撮像間隔時間が短くなる撮像間隔時間設定、又は上記非優位設定のフレームレート設定よりも高フレームレートとなるフレームレート設定とする撮像動作設定を行い、上記位置検出手段で検出される現在の位置情報によって判定される場所が、過去に所定回数以上訪れていない場所であると判別した場合は、上記撮像動作設定として優位設定を行い、一方、上記位置検出手段で検出される現在の位置情報によって判定される場所が、過去に所定回数以上訪れた場所であると判別した場合は、上記撮像動作設定として非優位設定を行うことにより、撮像動作設定に基づく撮像動作を上記撮像手段に実行させる制御手段と、を備え、上記位置検出手段で検出される現在の位置情報と、上記行動履歴情報と、上記日時計数手段で計数される現在の日時情報と、上記カレンダー情報を用いて、現在が使用者の休日であるか否かの判別し、該判別結果が使用者の休日であると判別された場合は、上記撮像動作設定として優位設定を行う。
【０００９】
また移動速度を検出する速度検出手段と、地図情報を記憶する記憶手段をさらに備えるとともに、上記制御手段は、上記位置検出手段で検出される現在の位置情報と、上記行動履歴情報と、上記速度検出手段で検出される移動速度とに基づいて上記撮像動作設定を行い、上記位置検出手段で検出される現在の位置情報と上記地図情報により、現在位置が交通機関の経路であることを判別した場合に、上記撮像動作設定として非優位設定を行う。
【００１０】
本発明の撮像方法は、現在位置情報を検出する位置検出ステップと、日時情報を計数する日時計数ステップと、使用者の休日情報を示すカレンダー情報を記憶する記憶ステップと、上記位置検出ステップで得られた位置情報に基づいて行動履歴情報の更新を行う履歴更新ステップと、上記位置検出ステップで得られた位置情報に基づいて行動履歴情報の更新を行うとともに、上記使用者のシャッタ操作に基づかない自動撮像が上記撮像装置により実行される際に、撮像動作設定に基づく撮像動作として優位設定の場合は、上記非優位設定の画質設定よりも高画質となる画質設定、又は上記非優位設定の画サイズ設定よりも大サイズとなる画サイズ設定、又は上記非優位設定の撮像間隔設定よりも撮像間隔時間が短くなる撮像間隔時間設定、又は上記非優位設定のフレームレート設定よりも高フレームレートとなるフレームレート設定とする撮像動作設定を行い、上記位置検出ステップで検出される現在の位置情報によって判定される場所が、過去に所定回数以上訪れていない場所であると判別した場合は、上記撮像動作設定として優位設定を行い、一方、上記位置検出ステップで検出される現在の位置情報によって判定される場所が、過去に所定回数以上訪れた場所であると判別した場合は、上記撮像動作設定として非優位設定を行うことにより、撮像動作設定に基づく撮像動作を実行する撮像ステップと、を備え、上記位置検出ステップで検出される現在の位置情報と、上記行動履歴情報と、上記日時計数ステップで計数される現在の日時情報と、上記カレンダー情報を用いて、現在が使用者の休日であるか否かの判別し、該判別結果が使用者の休日であると判別された場合は、上記撮像動作設定として優位設定を行う。
【００１１】
以上のような本発明においては、制御手段が、位置検出手段で得られた位置情報に基づいて行動履歴情報の更新を行っていくことで、ユーザの日常における行動履歴（訪れたり通過したりした場所の履歴）を、撮像装置は把握できることになる。
例えばライフログ用途としての自動撮像としては、撮像装置が一定時間間隔で自動的に（ユーザのシャッタ操作によらずに）撮像を行っていくことが考えられるが、その場合、本発明では、現在位置としての場所が、ユーザにとって撮像する価値が高い場所か否かを判断して、撮像の際の撮像動作設定を変更する。
例えばユーザが頻繁に訪れている場所であるか、或いは滅多に訪れない場所であるかによって、ユーザによっての撮像画像の価値は異なるものとなる。即ち滅多に訪れない場所では高品位な撮像を行うことが好ましい。一方、何度も訪れた場所にいるときは、さほど高品位な画像は必要ないと考えることができる。従って、場所に応じて撮像動作設定を変更することで、ユーザの行動に応じて適切な自動撮像が実行できる。
なお、ここでいう「場所」とは、緯度・経度で示される場所であったり、地域或いは設定されたエリアとして示される場所などのことであり、特定の地点や、或る程度の範囲を持った地区のことである。
【発明の効果】
【００１２】
本発明によれば、ユーザの行動に応じて、自動撮像動作での撮像動作設定を適応的に切り換える制御が行われる。即ち、例えば定期的な間隔として撮像を実行する際に、現在位置が、ユーザが頻繁に訪れる場所であるか否かなどの判定に応じて、画質（圧縮率）や画像サイズを切り換えたり、撮像間隔としての時間やフレームレートを変化させたりする。これによって、自動撮像においてユーザの行動に応じて適切に撮像画像データを取得し、画像を保存することができる。例えば普段訪れない場所であれば、ユーザにとって撮像画像の価値が高くなるため、高品位の画像データが撮像され、一方、頻繁に訪れる場所であれば、ユーザにとっての撮像画像の価値はさほど高くないため、低品位の画像データが撮像されるなど、行動に適した撮像動作が実現される。
【発明を実施するための最良の形態】
【００１３】
以下、本発明の実施の形態を説明する。説明は以下の順序で行う。
［１．撮像装置の外観例］
［２．撮像装置の構成例］
［３．画像撮像処理動作例Ｉ］
［４．画像撮像処理動作例II］
［５．画像撮像処理動作例III］
［６．画像撮像処理動作例IV］
［７．画像撮像処理動作例Ｖ］
［８．画像撮像処理動作例VI］
［９．画像撮像処理動作例VII］
［１０．画像撮像処理動作例VIII］
［１１．実施の形態の効果及び変形例］
【００１４】
［１．撮像装置の外観例］
実施の形態の撮像装置１としては、各種の形態が想定されるが、それらの外観例を図１（ａ）（ｂ）に例示する。
図１（ａ）は、首かけタイプの撮像装置１を示している。この撮像装置１は、例えばストラップを取り付ける部位を持ち、この部位にストラップを取り付けて図示するようにユーザの首にかけることで装着される。ユーザは、撮像装置１が備える撮像レンズ３Ｌがユーザの正面方向を被写体方向として撮像出来るように装着すればよい。
なお、図示していないが、例えば撮像装置１の背面部などに、撮像モニタ用や撮像画像の再生などに用いる表示部が設けられてもよい。
【００１５】
図１（ｂ）は、眼鏡型ディスプレイカメラとした撮像装置１を示している。撮像装置１は、例えば両側頭部から後頭部にかけて半周回するようなフレームの構造の装着ユニットを持ち、図のように両耳殻にかけられることでユーザに装着される。
この撮像装置１は、ユーザが装着した状態において、ユーザの視界方向を被写体方向として撮像するように、前方に向けて撮像レンズ３Ｌが配置されている。
また、図示のような装着状態において、ユーザの両眼の直前、即ち通常の眼鏡におけるレンズが位置する場所に、左眼用と右眼用の一対の表示部５、５が配置される構成とされている。この表示部５には、例えば液晶パネルが用いられ、透過率を制御することで、図のようなスルー状態、即ち透明又は半透明の状態とできる。表示部５がスルー状態とされることで、眼鏡のようにユーザが常時装着していても、通常の生活には支障がない。
なお、表示部５は、両眼に対応して一対設けられる他、片側の眼に対応して１つ設けられる構成も考えられる。また表示部５が設けられない構成も考えられる。
【００１６】
これら図１（ａ）（ｂ）では、首かけタイプ或いは眼鏡型の撮像装置１を挙げたが、ユーザが撮像装置１を装着するための構造は多様に考えられる。例えばヘッドフォン型、ネックバンドタイプ、耳掛け式など、どのような装着ユニットでユーザに装着されるものであってもよい。さらには、例えば通常の眼鏡やバイザー、或いはヘッドフォン等に、クリップなどの取付具で取り付けることでユーザに装着させる形態であってもよい。また必ずしもユーザの頭部に装着されるものでなくてもよい。
また、図１（ａ）の場合、撮像方向をユーザの正面方向としているが、装着時にユーザの後方を撮像するように撮像装置１を首にかけるように装着してもよい。
そして、図１（ｂ）の場合は、撮像方向をユーザの視界方向としているが、装着時にユーザの後方、側方、上方、足下方向などを撮像するように撮像レンズ３Ｌが取り付けられている構成や、撮像方向が同一又は異なる方向とされた複数の撮像系が設けられている構成も考えられる。
さらに、図１（ａ）（ｂ）において、１又は複数の撮像レンズ３Ｌについて、被写体方向を手動又は自動で可変できる撮像方向可変機構を設けてもよい。
【００１７】
なお、動画や静止画撮像を行う撮像装置として、これら図１（ａ）（ｂ）に示す以外の形態も考えられることは言うまでもない。例えば、車に設置可能な撮像装置であって車内や、或いは車外を撮像することが可能な撮像装置１も本実施の形態として想定できる。例えば車室内を撮像するように取り付けられた撮像装置や、車の前方風景、後方風景等を撮像するように取り付けられた撮像装置である。
また、携帯電話機やＰＤＡ（Personal Digital Assistant）、携帯用パーソナルコンピュータなどの機器であって、撮像装置としての機能を備えているものも本実施の形態の撮像装置１として想定できる。
また、これらの各種形態において、例えば外部音声を集音するマイクロフォンを設け、撮像時に、画像データと共に記録する音声信号を得るようにしてもよい。また音声出力を行うスピーカ部やイヤホン部を形成するようにしてもよい。
また、撮像レンズ３Ｌの近辺に、被写体方向への照明を行う発光部を、例えばＬＥＤ（Light Emitting Diode）等により設けたり、静止画撮像のためのフラッシュ発光部を設けることも考えられる。
【００１８】
［２．撮像装置の構成例］
ここでは、実施の形態の撮像装置１の構成例を説明する。
図２は、撮像装置１の内部構成を示すブロック図である。
図示するようにして撮像装置１は、システムコントローラ２、撮像部３、撮像制御部４、表示部５、表示制御部６、操作入力部７、ストレージ部８、通信部９、位置検出部１０、日時計数部１１を有する。
【００１９】
システムコントローラ２は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、撮像装置１の全体を制御する制御部とされる。このシステムコントローラ２は内部のＲＯＭ等に保持したプログラムに基づいて、各種演算処理やバス１２を介した各部と制御信号等のやりとりを行い、各部に所要の動作を実行させる。
【００２０】
撮像部３は、撮像光学系３ａ、撮像素子部３ｂ、撮像信号処理部３ｃを有する。
撮像部３における撮像光学系３ａでは、図１に示した撮像レンズ３Ｌや、絞り、ズームレンズ、フォーカスレンズなどを備えて構成されるレンズ系と、レンズ系に対してフォーカス動作やズーム動作を行わせるための駆動系等が備えられる。
また撮像部３における撮像素子部３ｂでは、撮像光学系３ａで得られる撮像光を検出し、光電変換を行うことで撮像信号を生成する固体撮像素子アレイが設けられる。固体撮像素子アレイは、例えばＣＣＤ（Charge Coupled Device）センサアレイや、ＣＭＯＳ（Complementary Metal Oxide Semiconductor）センサアレイとされる。
また撮像部３における撮像信号処理部３ｃでは、固体撮像素子によって得られる信号に対するゲイン調整や波形整形を行うサンプルホールド／ＡＧＣ(Automatic Gain Control)回路や、ビデオＡ／Ｄコンバータを備え、デジタルデータとしての撮像画像データを得る。また撮像画像データに対してホワイトバランス処理、輝度処理、色信号処理などを行う。
【００２１】
これらの撮像光学系３ａ、撮像素子部３ｂ、撮像信号処理部３ｃを有する撮像部３により、撮像が行われ、撮像画像データが得られる。
この撮像部３の撮像動作によって得られた画像データは、撮像制御部４で処理される。
撮像制御部４は、システムコントローラ２の制御に従って、撮像画像データを各種の圧縮率で圧縮する画像圧縮処理や、画サイズ変換処理、画像フォーマット変換処理などの処理を行い、また動作状況に応じて、撮像画像データをストレージ部８，表示制御部６、通信部９などへ転送する処理を行う。
また撮像制御部４はシステムコントローラ２の指示に基づいて、撮像部３における撮像動作のオン／オフ制御、シャッタ処理、撮像光学系３ａのズームレンズ、フォーカスレンズの駆動制御、撮像素子部３ｂの感度やフレームレートの制御、撮像信号処理部３ｃの各処理のパラメータ制御や実行処理の設定なども行う。
【００２２】
撮像装置１においてユーザに対して表示を行う構成としては、表示部５、表示制御部６が設けられる。
この表示部５には、液晶ディスプレイ等の表示パネル部と、該表示パネル部を表示駆動する表示駆動部が設けられる。表示駆動部は、撮像制御部４から供給される画像データを表示パネル部に表示させるための画素駆動回路で構成されている。画素駆動回路は表示パネル部においてマトリクス状に配置されている各画素について、それぞれ所定の水平／垂直駆動タイミングで映像信号に基づく駆動信号を印加し、表示を実行させる。
【００２３】
表示制御部６は、システムコントローラ２の制御に基づいて、表示部５における画素駆動回路を駆動し所定の表示を実行させる。例えば撮像部３での撮像された画像のモニタ表示や、ストレージ部８で再生された画像の表示などが実行される。
またこれらの表示のために、例えば輝度レベル調整、色補正、コントラスト調整、シャープネス（輪郭強調）調整などを行うことができる。また画像データの一部を拡大した拡大画像の生成、或いは縮小画像の生成、ソフトフォーカス、モザイク、輝度反転、画像内の一部のハイライト表示（強調表示）、全体の色の雰囲気の変化などの画像エフェクト処理なども行うことができる。
【００２４】
操作入力部７は、例えばキー、ボタン、ダイヤル等の操作子を有するようにし、例えば、電源オン／オフ操作や、自動撮像に関連する操作のための操作子や、所要の入力操作のための操作子が形成される。また、自動撮像だけでなく、ユーザのシャッタ操作に応じた撮像も可能とする場合は、撮像に関するユーザ操作として例えばシャッタ操作、ズームの操作、露出の設定操作、セルフタイマ操作などに用いる操作子が形成されるようにしてもよい。
操作入力部７は、このような操作子から得られる情報をシステムコントローラ２に供給し、システムコントローラ２はこれらの情報に対応した必要な演算処理や制御を行う。
【００２５】
位置検出部１０は例えばＧＰＳ受信部とされる。ＧＰＳ受信部は、ＧＰＳ（Global Positioning System）の衛星からの電波を受信し、現在位置としての緯度・経度の情報をシステムコントローラ２に出力する。
なお、位置検出部１０としては、ＷｉＦｉ（Wireless Fidelity）や携帯電話会社が提供する位置情報サービスを利用するものとしてもよい。
日時計数部１１は、常時日時カウント動作を行い、年月日時分秒を計数する。なお、図ではシステムコントローラ２と別ブロックとしているが、システムコントローラ２の内部タイマとして日時計数部を設けてもよい。
【００２６】
ストレージ部８は、撮像画像データその他の各種データの保存に用いられる。
このストレージ部８は、フラッシュメモリなどの固体メモリにより構成されても良いし、例えばＨＤＤ（Hard Disk Drive）により構成されてもよい。
また内蔵の記録媒体ではなく、可搬性の記録媒体、例えば固体メモリを内蔵したメモリカード、光ディスク、光磁気ディスク、ホログラムメモリなどの記録媒体に対応する記録再生ドライブなどとされても良い。
もちろん、固体メモリやＨＤＤ等の内蔵タイプのメモリと、可搬性記録媒体に対する記録再生ドライブの両方が搭載されてもよい。
このストレージ部８は、システムコントローラ２の制御に基づいて、撮像画像データその他の各種データの記録／再生を行う。
【００２７】
ストレージ部８では、記録領域として、撮像画像データ記録領域８ａ、地図データベース格納領域８ｂ、行動履歴データベース格納領域８ｃ、カレンダ情報記録領域８ｄが用意される。
撮像画像データ記録領域８ａは、撮像部３で得られた撮像画像データを格納する領域とされる。例えば定期的な自動撮像として、一定時間間隔で撮像が行われるとすると、その一定時間毎に、撮像画像データが、撮像画像データ記録領域８ａに記録されていくことになる。
地図データベース格納領域８ｂには、地図データベースが記録される。地図データベースは、例えば経度・緯度の情報に基づいて、地図上の位置としての地区、地域、エリア、地名、施設名、交通機関の路線などを判別できるようにしたデータベースである。なお、本例では、特に地図表示を行うものではないため地図描画データは必要ない。あくまで現在位置情報から、現在位置が含まれるエリア（行動履歴データベースにおけるエリア）が判定できるものであればよい。
なお、後述する画像撮像処理動作例VIIIで地図データベースを用いる場合は、電車やバス等の公共交通機関の路線情報を含むデータベースとされていることが必要になる。
【００２８】
行動履歴データベース格納領域８ｃには、行動履歴データベースが記録される。行動履歴データベースとは、例えば図３（ａ）のように、撮像装置１を所持したユーザの訪問したエリアＡＲ（ＡＲ１，ＡＲ２，ＡＲ３・・・）と、そのエリアを訪問した回数を逐次追加登録する形式のデータベースである。訪問したエリアとは、ユーザが日常の行動での目的場所だけでなく、単に通過した場所も含む。つまり行動履歴データベースは、ユーザが訪れたか或いは通過した場所を含むエリアと、そのエリアを訪れた（通過した）回数を管理するデータベースとなる。
後述するが、システムコントローラ２は撮像を行う際に、位置検出部１０で検出された位置情報に基づいて、地図データベースを検索し、現在位置が含まれるエリアを判定する。そして、現在のエリアが、既に行動履歴データベースに登録されていれば、そのエリアに対応する回数の情報を＋１加算する。また、現在位置を含むエリアが、行動履歴データベースに登録されていないエリアであったら、当該エリアを行動履歴データベースに新規追加するとともに、回数を「１」とする。
なお、この行動履歴データベースでいうエリアＡＲとは、地区、地名などの行政区画に対応したエリアとして設定してもよいし、例えば或る地点から所定の半径範囲のエリア、方形範囲のエリアなど、任意に区画して設定した範囲などとしてもよい。或いは携帯電話通信網などの基地局等を基準としたエリア設定でもよい。
【００２９】
ところで、図３（ａ）の例では、行動履歴データベースではエリアＡＲに対応して訪問した回数の情報を登録するものとしたが、例えば行動履歴データベースを、図３（ｂ）のように、緯度／経度の位置情報Ｐ１，Ｐ２，Ｐ３・・・のそのものに対応して、訪問した回数を登録する形式としてもよい。
この場合、システムコントローラ２は撮像を行う際に、位置検出部１０で検出された位置情報（緯度・経度）に基づいて、行動履歴データベースを検索し、現在位置が、既に行動履歴データベースに登録されていれば、その位置情報Ｐ（ｘ）に対応する回数の情報を＋１加算する。また、現在位置が、行動履歴データベースに登録されていなければ、現在位置としての緯度・経度を位置情報Ｐとして行動履歴データベースに新規追加するとともに、回数を「１」とする。
行動履歴データベースをこの図３（ｂ）のような形式とする場合、上述した図３（ａ）の形式の場合に、現在のエリアを判別するために用いていた地図データベースは不要となる。
【００３０】
カレンダ情報記録領域８ｄには、カレンダ情報が記録される。この場合のカレンダ情報とは、ユーザ自身の休日を示す情報である。
例えばシステムコントローラ２は、表示部５にユーザ自身の休日情報を入力させるための入力画面表示を行う。ユーザは操作入力部７を用いた入力操作により、自身の休日予定を入力することで、ユーザ自身の休日を示すカレンダ情報が形成され、カレンダ情報記録領域８ｄに記録される。なお、ユーザが自身の休日の入力を行っていない状況においては、カレンダ情報は、一般的の休日情報、例えば土曜、日曜、祝日となる日付を、休日として管理する情報とされていればよい。
システムコントローラ２は、日時計数部１１で得られる現在の日付と、カレンダ情報記録領域８ｄに記録されたカレンダ情報を参照することで、現在、ユーザの休日であるか否かを判定することができる。
【００３１】
なお、これらの撮像画像データ記録領域８ａ、地図データベース格納領域８ｂ、行動履歴データベース格納領域８ｃ、カレンダ情報記録領域８ｄは、ストレージ部８内における固定的な領域として設定される必要はない。あくまで本例において、ストレージ部８に、撮像画像データ、地図データベース、行動履歴データベース、カレンダ情報が保存されればよいものである。また、例えばカレンダ情報や行動履歴データベース等を、システムコントローラ２の内部メモリに記憶させるようにしてもよい。
【００３２】
通信部９は、各種の外部機器とデータ通信を行う部位として設けられる。
例えば、図示しないサーバ装置との間でのデータの送受信を行うようにしてもよい。その場合、例えば無線ＬＡＮ、やブルートゥースなどの方式で、ネットワークアクセスポイントに対する近距離無線通信を介してネットワーク通信を行う構成としてもよいし、対応する通信機能を備えたサーバ装置との間で直接無線通信を行うものでもよい。
また、通信部９は、例えばＵＳＢ（Universal Serial Bus）方式等のインターフェイスを用いてパーソナルコンピュータなどの機器と接続し、データの送受信を行うようにしてもよい。
この通信部９により、例えば撮像してストレージ部８に格納した撮像画像データを、パーソナルコンピュータその他の外部機器に転送することができる。従って、ライフログとしての定期的な撮像でストレージ部８に録り貯めた多数の撮像画像データは、この撮像装置１自体で表示部５で再生表示させることができるほか、パーソナルコンピュータ等の外部機器に転送して、それら外部機器側で再生させて表示させることもできる。
【００３３】
以上、撮像装置１の構成を示したが、これは一例にすぎない。実際に実施される動作例や機能に応じて各種の構成要素の追加や削除は当然考えられる。
【００３４】
［３．画像撮像処理動作例Ｉ］
以上の実施の形態の撮像装置１における特徴的な動作例を以下、説明していく。
実施の形態の撮像装置１は、ライフログ用途に用いる場合、基本的には、ユーザのシャッタ操作に基づかない撮像動作を行う。例えば定期的に自動撮像を行って、撮像画像データをストレージ部８に保存していく。例えば５秒間隔、１０秒間隔、３０秒間隔など、所定の時間間隔で自動撮像を行う。なお、もちろん定期的な撮像ではなく、何らかのトリガ（ユーザのシャッタ操作以外のトリガ）に応じて不定期なタイミングで自動撮像を行ってもよい。さらに、定期的又は不定期の自動撮像実行中に、ユーザがシャッタ操作を行った場合は、その時点で通常に撮像処理を行えばよい。
【００３５】
ユーザが日常生活において撮像装置１を装着した状態で、このように例えば定期的に自動撮像を行っていくと、ユーザの行動に応じた光景が撮像されていくことになる。但し、ユーザの日常行動には、規則的な行動や不規則な行動がある。例えば通勤、通学などは或る程度規則的な行動となり、同じ場所を訪れたり通過する。
図４に一例を示す。この図４は、ユーザの自宅ｈ１と、職場ｗ１を示した地図としている。そして斜線部Ａ１で示す部分は、ユーザの通勤経路であるとする。すると、この斜線部Ａ１に含まれる場所は、ユーザが通勤で何度も訪れる（通過する）エリアとなる。
一方、斜線部Ａ２，Ａ３は、ユーザが通勤以外で行動したエリアであるとする。この斜線部Ａ２，Ａ３に含まれる場所は、ユーザがさほど頻繁には訪れない（通過しない）場所と考えることができる。
もちろん、通勤、通学等に関わらず、ユーザが頻繁に訪れる場所もあるであろうが、いずれにしても、各ユーザにとっては、日頃頻繁に訪れる場所と訪れない場所があると考えることができる。
【００３６】
ここで自動撮像により蓄積される撮像画像データを考える。ユーザが毎日撮像装置１を装着して自動撮像を行わせながら、図４のような行動を行ったとすると、通勤経路である斜線部Ａ１に含まれるエリアでの撮像画像データが、大量に蓄積されてしまうことになる。もちろん、日によって同じ場所でも撮像される画像内容は変化するが、殆どの場合、あまり変わり映えのしない画像が大量に蓄積されることが想定される。これらの画像は、ユーザが後に再生させて見ても、ユーザにとってあまり価値のない画像となることが多い。
一方、斜線部Ａ２，Ａ３などのあまり訪れない場所で撮像された画像は、ユーザにとって価値が高いと考えることができる。
【００３７】
そこで本例では、上述した行動履歴データベースを用いて、現在の場所が、ユーザが頻繁に訪れる場所であるか否かを判断し、あまり訪れない場所であったとしたら、撮像動作設定として比較的優位な設定で撮像を行い、一方、頻繁に訪れる場所であったら、非優位な設定で撮像を行うようにするものである。
【００３８】
ここで、撮像動作設定としては、画質設定、又は画サイズ設定、又は撮像間隔設定が考えられる。
画質設定とは、撮像画像データの画像品質であり、これは例えば圧縮率の高低の設定とすることができる。即ち撮像部３で得られた撮像画像データは、撮像制御部４で所定の圧縮方式で圧縮処理されてストレージ部８に転送され、撮像画像データ記録領域８ａに記録されるが、ここで圧縮処理の際に圧縮率を高くするほど、データ量は小さくなるが、保存される撮像画像データの品質は低下する。一方、圧縮率が低くすれば（もしくは非圧縮とすれば）データ量は大きくなるが保存される撮像画像データの品質は高くなる。
従って、圧縮率の高低の設定として保存する画像データ品質を変化させることができるとともに、記憶容量の有効利用も図ることができる。
【００３９】
画サイズ設定とは、例えば撮像画像データの画素数と考えることができ、例えば撮像素子部３ｂでの画素数に応じた画サイズを最大とし、例えば画素間引き処理により画素数を低下させていくほど、画サイズは小さくなる。
これも、画サイズは大きいほど高品位であるがデータ量は大きく、一方、画サイズを小さくするほど画質は低品位となるがデータ量は少なくなる。
【００４０】
撮像間隔設定とは、上記のように定期的な自動撮像を行う場合の撮像間隔としての時間設定である。撮像間隔を短くすれば、多数の撮像画像データが得られ、ライフログとして好適である一方、全体として大量の記録容量を要することになる。一方、撮像間隔を長くすれば、撮像機会が少なくなるが、全体としての記録容量は節約される。例えば撮像間隔を１０秒間隔と、３０秒間隔などで切り換える設定が考えられる。
【００４１】
これらの撮像動作設定において、上記した優位な設定とは、圧縮率を低くする設定、画サイズを大きくする設定、或いは撮像間隔を短くする設定をいう。
一方、非優位な設定とは、圧縮率を高くする設定、画サイズを小さくする設定、或いは撮像間隔を長くする設定をいう。
そしてユーザが頻繁に訪れない場所では、優位な設定で撮像を行い、ユーザが頻繁に訪れる場所では非優位な設定で撮像を行うことで、珍しい場所の光景は、高品位或いは多数蓄積され、見慣れた場所の光景は低品位或いは少数蓄積されることになる。
【００４２】
図５，図６で、このような撮像動作設定を含む自動撮像動作を実現するための制御例を説明する。なお、ここでは撮像動作設定として圧縮率を変更する場合の例を述べる。
図５はシステムコントローラ２が内部ＲＯＭに格納したプログラムに基づいて実行する制御処理として示している。
【００４３】
自動撮像の実行中、システムコントローラ２は例えば内部タイマにより撮像間隔としての時間カウントを行っている。そして例えば１０秒毎などの所定時間のカウントに応じて、撮像タイミングであると判断し、ステップＦ１０１からＦ１０２に進む。
【００４４】
ステップＦ１０２では、システムコントローラ２は、位置検出部１０で検出される位置情報を取得する。例えば現在位置としての緯度、経度の情報を取得する。そして現在の位置情報と行動履歴データベースを用いて、現在位置が、ユーザが頻繁に訪れる場所であるか否かの判定のための処理を行う。
【００４５】
例えば行動履歴データベースを図３（ａ）の形式としている場合、システムコントローラ２は、まず現在位置としての緯度・経度に基づいて地図データベースを参照し、現在位置が含まれるエリアＡＲを判別する。そして次に、現在のエリアが、行動履歴データベースに登録されているエリアであるか否かを判別する。
行動履歴データベースの更新は後述するステップＦ１０６の時点に行われる。つまり図５の処理として自動撮像処理により１枚の静止画撮像が行われるたびに行動履歴データベースが更新される。このため、現在のエリアが、行動履歴データベースに登録されていれば、現在居る場所は、過去に自動撮像を行った場所であることになる。そして、過去にユーザが訪れて、当該撮像装置１が自動撮像を行った回数が、その行動履歴データベースに記憶されている。
【００４６】
行動履歴データベースが図３（ｂ）の形式である場合は、ステップＦ１０２の処理は次のように行われればよい。
システムコントローラ２は現在位置としての緯度・経度に基づいて行動履歴データベースを参照し、現在位置としての緯度・経度の位置情報Ｐが、行動履歴データベースに登録されているか否かを判別する。そして、行動履歴データベースに登録されていれば、現在居る場所は、過去に自動撮像を行った場所であることになり、また過去に当該撮像装置１が自動撮像を行った回数が、その行動履歴データベースに記憶されている。
ただし、緯度・経度の位置情報Ｐの単位の精度にもよるが、例えば緯度・経度の位置情報Ｐの単位としての度、分、秒・・・としての細かさや、その最小単位に相当する実際の距離に応じては、必ずしも現在位置と一致する位置情報Ｐが登録されていなくても、近傍（例えば１０ｍ程度の差）の位置情報Ｐが登録されていれば、過去に訪れた場所と判断することが好適である。
【００４７】
ステップＦ１０２の処理により、システムコントローラ２は、現在居る場所が、過去に訪れて自動撮像を行った場所であるか否か、さらには何回自動撮像を行った場所であるかを判別できることになる。
そこでステップＦ１０３でシステムコントローラ２は、行動履歴データベースに登録されている過去の回数（即ち過去に何回自動撮像を行ったかの回数）を、所定の閾値Ｃｔｈ１と比較することで、現在の場所が、頻繁に訪れる場所であるか否かを判定する。仮に閾値Ｃｔｈ１を「１０」とすると、行動履歴データベースに登録されている回数が１０以上であれば、頻繁に訪れる場所であると判定し、９未満（或いは行動履歴データベースに未登録の場所）であれば、あまり訪れない場所と判定する。
【００４８】
そして現在の場所が、頻繁に訪れる場所と判定した場合は、システムコントローラ２は処理をステップＦ１０５に進め、標準品質の画質としての撮像動作設定を指示したうえで、撮像動作の実行を指示する。
一方、あまり訪れない場所と判定した場合は、処理をステップＦ１０４に進め、高品質の画質としての撮像動作設定を指示したうえで、撮像動作の実行を指示する。
つまり図６のように、現在居る場所について、過去に訪れた回数（過去に自動撮像を行った回数）が、閾値Ｃｔｈ１以上であれば、標準品質の撮像を指示し、回数が閾値Ｃｔｈ１未満であれば、高品質の撮像を指示する。
【００４９】
ステップＦ１０４でいう高品質の画質とは、上述した優位設定のことであり、例えば低い圧縮率（もしくは非圧縮）での圧縮処理を実行させる撮像動作設定である。この場合は撮像制御部４は、撮像部３で得られる撮像画像データを、比較的低い圧縮率で圧縮処理し（もしくは非圧縮データのままとし）、ストレージ部８に転送する。ストレージ部８は、転送されてきた撮像画像データを静止画として保存する。
一方、ステップＦ１０５でいう標準品質の画質とは、上述した非優位設定のことであり、予め決められた標準的な圧縮率（ステップＦ１０４の場合より高い圧縮率）での圧縮処理を実行させる撮像動作設定である。この場合は撮像制御部４は、撮像部３で得られる撮像画像データを、比較的高い圧縮率で圧縮処理してストレージ部８に転送する。ストレージ部８は、転送されてきた撮像画像データを静止画として保存する。
【００５０】
このようにシステムコントローラ２がステップＦ１０４又はＦ１０５の制御を行うことで、自動撮像による１枚の静止画が、ストレージ部８に記録される。
システムコントローラ２は次にステップＦ１０６で、現在位置に応じた情報で、行動履歴データベースの更新を行う。
例えば行動履歴データベースが図３（ａ）の形式の場合、ステップＦ１０２で判別した現在のエリアが、既に行動履歴データベースに登録されていたら、そのエリアに対応した回数を＋１加算する。また、現在のエリアが、行動履歴データベースに登録されていなければ、現在のエリアを、行動履歴データベースに追加登録するとともに、回数を１とする。
また、行動履歴データベースが図３（ｂ）の形式の場合、現在の位置情報が、既に行動履歴データベースに登録されていたら、その位置情報に対応した回数を＋１加算する。また、現在の位置情報が、行動履歴データベースに登録されていなければ、現在の位置情報を行動履歴データベースに追加登録するとともに、回数を１とする。
【００５１】
システムコントローラ２は、このステップＦ１０６により１回の自動撮像に関する処理を終了する。そして、その後は、再び内部タイマのカウントにより、所定時間経過後（例えば１０秒後など）に、ステップＦ１０１で撮像タイミングとなったと判断し、ステップＦ１０２以降の処理を実行する。
即ちシステムコントローラ２は、例えば１０秒間隔などでこの図５の処理を実行することで、１０秒間隔などとしての自動撮像としての撮像画像データが蓄積されていくとともに、その蓄積される撮像画像データは、撮像実行場所が、よく来る場所であるか否かによって品質やデータ量が異なるものとされる。
例えば図４の通勤経路である斜線部Ａ１の範囲内に居るときや通過しているときに撮像される画像は、ステップＦ１０５の処理により、比較的低品質でデータ量の少ない画像として保存され、一方、ユーザが珍しく斜線部Ａ２の地区を行動したとすると、その際に撮像される画像は、ステップＦ１０４の処理により、比較的高品質でデータ量の多い画像として保存される。
【００５２】
なお図５では、撮像動作設定として、現在の場所に応じて圧縮率の設定を行うものとしたが、上述した画サイズの設定も、同様に行うことができる。即ちシステムコントローラ２は、ステップＦ１０４で、大きい画サイズ設定を指示し、ステップＦ１０５では比較的小さい画サイズ設定を指示するようにすればよい。
もちろん、圧縮率と画サイズの両方の設定を行うようにしてもよい。
さらに、撮像間隔の設定も加えることもできる。撮像間隔については、例えばステップＦ１０４の時点では、短い間隔（例えば５秒）を設定し、ステップＦ１０５では比較的長い間隔（例えば１５秒）を設定する。この設定を行った場合、システムコントローラ２は、ステップＦ１０１での撮像タイミングの判別の基準を変更すればよい。つまり前回の撮像から５秒経過したら撮像タイミングとするという処理と、前回の撮像から１５秒経過したら撮像タイミングとするという処理が、ステップＦ１０１の処理として切り換えられればよい。
後述する画像撮像処理動作例II〜VIIIにおいても、撮像動作設定の例として圧縮率を変化させる例を述べるが、それらの動作例においても、画サイズや撮像間隔を変更するようにしてもよいものである。
【００５３】
［４．画像撮像処理動作例II］
上記の画像撮像処理動作例Ｉでは、訪れた回数が閾値Ｃｔｈ１以上であるか否かにより、保存する画像品質を切り換えていたが、そのような処理に加えて、あまりに頻繁に訪れる場所については、撮像しないという処理例も考えられる。例えば閾値Ｃｔｈ１＝１０とし、１０回以上訪れた場所では、上述の非優位設定での撮像を行うとしても、さらに３０回以上訪れた場所では、撮像自体を行わないようにすることも、無駄に多くの似たような画像を蓄積させないという意味で適切と考えられる。
そこで、このように撮像を行わないようにする場合も加えた処理例を、画像撮像処理動作例IIとして図７で説明する。
【００５４】
図７は、システムコントローラ２の処理を示しているが、この図７においてステップＦ２０１、Ｆ２０２は、上記図５のステップＦ１０１，Ｆ１０２と同様である。
即ち例えば定期的な時間間隔としての撮像タイミングとなったら、システムコントローラ２は現在の位置情報と、行動履歴データベースを用いて、現在居る場所が、過去に何回訪れた場所であるかを判別する。
【００５５】
ここで図７の場合、ステップＦ２０３で、行動履歴データベースから確認された現在位置の訪問回数を、閾値Ｃｔｈ２と比較する。閾値Ｃｔｈ２は、例えば「３０」など、非常に頻繁に訪れていると判定する閾値とする。
もし、現在位置が、過去に閾値Ｃｔｈ２以上の回数訪れて、自動撮像を行っていた場所である場合は、システムコントローラ２は処理をステップＦ２０３からＦ２０７に進め、今回の位置情報に基づいて行動履歴データベースを更新する。即ち行動履歴データベースに登録されている、現在の位置に相当するエリアＡＲｘ（図３（ａ）の場合）又は位置情報Ｐｘ（図３（ｂ）の場合）に対応する回数の情報を＋１する。
【００５６】
ステップＦ２０３で、現在位置が、過去に閾値Ｃｔｈ２以上の回数訪れた場所ではないと判断した場合は、システムコントローラ２はステップＦ２０４に進む。ステップＦ２０４，Ｆ２０５，Ｆ２０６は、図５のステップＦ１０３，Ｆ１０４，Ｆ１０５と同様であり、過去の訪問回数を閾値Ｃｔｈ１と比較して、よく訪れている場所であれば標準品質の画質での撮像を指示し、あまり訪れていない場所であれば、高品質の画質での撮像を指示することとなる。
そしてステップＦ２０７で、図５のステップＦ１０６と同様に現在位置に応じて行動履歴データベースの更新を行って処理を終える。
【００５７】
この図７の処理を、所定の時間間隔で繰り返すことになるが、これにより、あまりに頻繁に訪れる場所では、自動撮像としての静止画保存は行われないものとなる。
なお、図７の例では、優位設定の撮像、非優位設定での撮像、撮像しないという３段階に切り換えた例を述べたが、訪問回数に応じて、特定の設定での撮像と、撮像しないという２段階に撮像動作設定を切り換えるという処理例も考えられる。
【００５８】
［５．画像撮像処理動作例III］
上記画像撮像処理動作例Ｉでは、撮像動作設定として、例えば図６に示したように高品質と標準品質という２段階の設定の切換を行うようにしていたが、もちろん、より多段階に設定を切り換えるようにしてもよい。
例えば図８に示すように、訪れた回数に応じて、画像品質を多段階に設定する。即ち回数が０回の場合を最も高品質の撮像を行うものと、過去の訪問回数が増えるほど、撮像時の品質を徐々に低くする。回数がｎ回以上となったら、最も低い品質での撮像を行うようにする。
例えば圧縮率で考えれば、過去の訪問回数＝０の場所では、撮像画像データを、非圧縮もしくは最も低い圧縮率で圧縮して保存する。また過去の訪問回数が増える毎に、圧縮率を上げていく。そしてｎ回以上目の撮像の際は、最も高い圧縮率で圧縮して保存するようにする。
画サイズについても同様に考えることができる。即ち過去の訪問回数が少ないほど、大きい画サイズ（過去０回の場合を最大画サイズ）とし、回数が多くなるにつれて、段階的に画サイズを小さくする。
また、図８では画像品質として示しているが、撮像間隔を考えた場合、過去の訪問回数が少ないほど撮像間隔を短くし、回数が多くなるにつれて、撮像間隔を段階的に広げていくという処理が考えられる。
【００５９】
このような撮像動作設定を行う場合のシステムコントローラ２の処理例を図９に示す。
システムコントローラ２は、所定の時間間隔での撮像タイミングとなったら、処理をステップＦ３０１からＦ３０２に進め、図５のステップＦ１０２の場合と同様に、現在の位置情報と、行動履歴データベースを用いて、現在居る場所が、過去に何回訪れた場所であるかを判別する。
次にステップＦ３０３では、現在位置についての過去に訪れた回数に基づいて、例えば図８のような段階的に設定された画像品質の１つを選択し、その画像品質に応じた圧縮率での圧縮処理を指示して撮像を実行させる。これにより、撮像部３で得られた撮像画像データは、撮像制御部４において、上記回数に応じた圧縮率での圧縮処理が行われ、保存すべき静止画像としてストレージ部８に転送される。ストレージ部８では転送されてきた撮像画像データを保存する。
そしてステップＦ３０４で、システムコントローラ２は、図５のステップＦ１０６と同様、現在位置の情報に基づいて行動履歴データベースの更新を行う。
【００６０】
このような処理により、各種の場所で実行する自動撮像として、過去の訪問回数に応じて（過去の自動撮像回数に応じて）細かく画質が設定された撮像画像データを蓄積していくことができる。
なお、段階的な撮像画像の品質の設定（或いは撮像間隔の設定）についての、設定を変更する回数の閾値や、段階数は、図８の例以外に多様に考えられることは言うまでもない。
【００６１】
［６．画像撮像処理動作例IV］
続いて図１０に画像撮像処理動作例IVとしてのシステムコントローラ２の処理例を示す。これは、上記図９のように、訪問回数に応じて多段階に撮像動作設定を変更していくことに加え、あまりに頻繁に訪れる場所については撮像自体を行わないようにする例である。
【００６２】
図９のステップＦ４０１、Ｆ４０２は、上記図９のステップＦ３０１，Ｆ３０２と同様である。例えば定期的な時間間隔としての撮像タイミングとなったら、システムコントローラ２は現在の位置情報と、行動履歴データベースを用いて、現在居る場所が、過去に何回訪れた場所であるかを判別する。
【００６３】
ここで図１０の場合、ステップＦ４０３で、行動履歴データベースから確認された現在位置の訪問回数を、閾値Ｃｔｈ２と比較する。閾値Ｃｔｈ２は、例えば「３０」など、非常に頻繁に訪れていると判定する閾値とする。
もし、現在位置が、過去に閾値Ｃｔｈ２以上の回数訪れて、自動撮像を行っていた場所である場合は、システムコントローラ２は処理をステップＦ４０３からＦ４０５に進め、今回の位置情報に基づいて行動履歴データベースを更新する。即ち行動履歴データベースに登録されている、現在の位置に相当するエリアＡＲｘ（図３（ａ）の場合）又は位置情報Ｐｘ（図３（ｂ）の場合）に対応する回数の情報を＋１する。
【００６４】
ステップＦ４０３で、現在位置が、過去に閾値Ｃｔｈ２以上の回数訪れた場所ではないと判断した場合は、システムコントローラ２はステップＦ４０４に進む。ステップＦ４０４は、図９のステップＦ３０３と同様であり、現在位置についての過去に訪れた回数に基づいて、例えば図８のような段階的に設定された画像品質の１つを選択し、その画像品質に応じた圧縮率での圧縮処理を指示して撮像を実行させる。これにより、撮像部３で得られた撮像画像データは、撮像制御部４において、上記回数に応じた圧縮率での圧縮処理が行われて、保存すべき静止画像としてストレージ部８に転送される。ストレージ部８では転送されてきた撮像画像データを保存する。
そしてステップＦ４０５で、図５のステップＦ１０６と同様に現在位置に応じて行動履歴データベースの更新を行って処理を終える。
【００６５】
この図１０の処理を、所定の時間間隔で繰り返すことになるが、これにより、各種の場所で実行する自動撮像として、過去の訪問回数に応じて（過去の自動撮像回数に応じて）細かく画質が設定された撮像画像データを蓄積していくことができるとともに、あまりに頻繁に訪れる場所では、自動撮像としての静止画保存は行われないものとなる。
【００６６】
［７．画像撮像処理動作例Ｖ］
以上の画像撮像処理動作例Ｉ〜IVでは、システムコントローラ２が、現在の位置情報と、行動履歴データベースの内容（現在居る場所に訪れた回数）に応じて撮像動作設定を行う各例を述べてきたが、さらに撮像動作設定に、現在日時を反映させる処理例も考えられる。この画像撮像処理動作例Ｖでは、現在の日付が、ユーザにとっての休日であるか否かを撮像動作設定に反映させる例を述べる。
【００６７】
図１１にシステムコントローラ２の処理例を示す。
ステップＦ５０１、Ｆ５０２は、上記図５のステップＦ１０１，Ｆ１０２と同様であり、システムコントローラ２は例えば定期的な時間間隔としての撮像タイミングとなったら、現在の位置情報と、行動履歴データベースを用いて、現在居る場所が、過去に何回訪れた場所であるかを判別する。
そしてステップＦ５０３では、現在位置が過去にＣｔｈ１回以上訪れた場所であるか否かにより、処理を分岐する。
【００６８】
現在居る場所について過去に訪れた回数（過去に自動撮像を行った回数）が、閾値Ｃｔｈ１未満であり、あまり訪れない場所と判定したら、システムコントローラ２はステップＦ５０４に進み、優位設定として高品質の撮像を指示する。これにより撮像制御部４は、撮像部３で得られた撮像画像データについて優位設定としての低い圧縮率での圧縮処理を行い、保存すべき静止画像としてストレージ部８に転送する。ストレージ部８では転送されてきた撮像画像データを保存する。
【００６９】
一方、現在居る場所について過去に訪れた回数が、閾値Ｃｔｈ１以上であり、頻繁に訪れる場所と判定したら、システムコントローラ２はステップＦ５０５に進み、ここで、ユーザにとって現在（本日）が休日であるか否かを判断する。
この場合、システムコントローラ２は日時計数部１１からの情報で本日の日付を把握するとともに、カレンダ情報記録領域８ｄに保存されているカレンダ情報を参照して、本日がユーザの休日であるか否かを判断する。上述したようにカレンダ情報は、ユーザの入力に応じてユーザにとっての休日を記憶するものであるため、カレンダ情報を参照することで、本日がユーザ個人にとっての休日であるか否かを判断できる。
【００７０】
ステップＦ５０５において本日は休日ではないと判断した場合、システムコントローラ２はステップＦ５０６に進み、非優位設定として標準品質の撮像を指示する。これにより撮像制御部４は、撮像部３で得られた撮像画像データについて非優位設定としての高い圧縮率での圧縮処理を行い、保存すべき静止画像としてストレージ部８に転送する。ストレージ部８では転送されてきた撮像画像データを保存する。
ところがステップＦ５０５において本日は休日であると判断した場合、システムコントローラ２はステップＦ５０４に進み、優位設定として高品質の撮像を指示する。従って、現在位置がよく訪れる場所であったとしても、現在が休日である場合は、高品質の画像として撮像画像データが保存されることになる。
【００７１】
システムコントローラ２は、ステップＦ５０４又はＦ５０６の処理を行った後は、ステップＦ５０７で、図５のステップＦ１０６と同様に現在位置に応じて行動履歴データベースの更新を行って処理を終える。
【００７２】
この処理例によれば、撮像装置１では次のような動作が実行されることになる。
あまり訪れない場所では、優位設定で撮像（画像保存）が行われる。
頻繁に訪れる場所では、休日でなければ、非優位設定で撮像（画像保存）が行われる。
頻繁に訪れる場所であっても、休日であれば、優位設定で撮像（画像保存）が行われる。
つまり、休日の場合は、同じような場所であってもユーザが平日とは異なる行動を取ることが多いことから、撮像される画像は、ユーザにとって価値のある画像となることが多いと考えられるため、優位設定で撮像をおこなうことで、ライフログ撮像動作として好適となる。
【００７３】
なお、この処理例では、本日が休日か平日かで異なる撮像動作設定を行うものとしたが、時刻や時間帯によって異なる撮像動作設定を行うことも考えられる。
例えば平日であっても、例えば仕事を終えた夕方以降などは、ユーザが自由に多様な行動を行うことが考えられる。
そこで、例えば午後６時〜午前０時など、特定の時間帯は、普段よく訪れる場所であって、かつ平日であっても、優位設定で撮像を行うような処理例も考えられる。
また日常の行動パターンは、ユーザによって大きく異なる。例えば勤務時間や学校等の授業時間も個人毎に異なるし、平日は直ぐに帰宅する人もいれば、なかなか帰宅しないことが多い人もいる。このためユーザ自身が、自由に行動を行うことが多い時間帯や、出歩くことが多い時間帯を予め入力して登録しておく。システムコントローラ２は現在時刻と登録した時間帯を比較し、登録した時間帯であれば、優位設定で撮像を行うようにする処理例も考えられる。もちろん逆に、登録した時間帯であれば、非優位設定で撮像動作を実行させるという処理例も考えられる。
【００７４】
［８．画像撮像処理動作例VI］
次に図１２に、画像撮像処理動作例VIを示す。これは上記図１１のように平日か休日かによって撮像動作設定を切り換えるが、撮像動作設定をより多段階（この例では３段階）に切り換える例である。
【００７５】
ステップＦ６０１，Ｆ６０２，Ｆ６０３は、上記図１１のステップＦ５０１，Ｆ５０２，Ｆ５０３と同様である。
この図１２の場合、システムコントローラ２は、ステップＦ６０３で現在居る場所について過去に訪れた回数（過去に自動撮像を行った回数）が、閾値Ｃｔｈ１未満であり、あまり訪れない場所と判定したら、ステップＦ６０４に進み、現在日時とカレンダー情報に基づいて、本日がユーザにとって休日であるか否かを判断する。
また、ステップＦ６０３で現在居る場所について過去に訪れた回数が、閾値Ｃｔｈ１以上であって、頻繁に訪れる場所と判定したら、ステップＦ６０５に進み、現在日時とカレンダー情報に基づいて、本日がユーザにとって休日であるか否かを判断する。
【００７６】
ステップＦ６０４で休日であると判断した場合は、システムコントローラ２はステップＦ６０６に進み、高品質の撮像を指示する。これにより撮像制御部４は、撮像部３で得られた撮像画像データについて低い圧縮率での圧縮処理を行い、保存すべき静止画像としてストレージ部８に転送する。ストレージ部８では転送されてきた撮像画像データを保存する。
【００７７】
ステップＦ６０４で休日ではない判断した場合、又はステップＦ６０５で休日であると判断した場合は、システムコントローラ２はステップＦ６０７に進み、中間的な設定として標準品質の撮像を指示する。これにより撮像制御部４は、撮像部３で得られた撮像画像データについて標準的な圧縮率での圧縮処理を行い、保存すべき静止画像としてストレージ部８に転送する。ストレージ部８では転送されてきた撮像画像データを保存する。
【００７８】
ステップＦ６０５で休日ではない判断した場合は、システムコントローラ２はステップＦ６０８に進み、低品質な設定としての撮像を指示する。これにより撮像制御部４は、撮像部３で得られた撮像画像データについて、上記標準的な圧縮率より高い圧縮率での圧縮処理を行い、保存すべき静止画像としてストレージ部８に転送する。ストレージ部８では転送されてきた撮像画像データを保存する。
【００７９】
システムコントローラ２は、ステップＦ６０６又はＦ６０７又はＦ６０８の処理を行った後は、ステップＦ６０９で、図５のステップＦ１０６と同様に現在位置に応じて行動履歴データベースの更新を行って処理を終える。
【００８０】
この処理例によれば、撮像装置１では次のような動作が実行されることになる。
あまり訪れない場所では、休日であれば、最も高い品質の設定で撮像（画像保存）が行われる。
あまり訪れない場所であっても、休日でなければ、中間的な品質の設定で撮像（画像保存）が行われる。
頻繁に訪れる場所であっても、休日であれば、中間的な品質の設定で撮像（画像保存）が行われる。
頻繁に訪れる場所では、休日でなければ、低品質の設定で撮像（画像保存）が行われる。
【００８１】
このように、頻繁に訪れる場所であるか否かという条件に加えて、ユーザにとって休日か否かという条件で、撮像動作設定が３段階に切り換えられるようにすることで、ライフログ撮像動作として好適な動作を実行させる。
【００８２】
なお、ここでは３段階の設定切換を行うようにしたが、もちろん、上記４つの状況のそれぞれで異なる設定となるように４段階の設定切換を行うようにしてもよい。
また、この図１２の処理例では、本日が休日か平日かで異なる撮像動作設定を行うものとしたが、上記図１１の説明において付記したように、時刻や時間帯によって異なる撮像動作設定を行うことも考えられる。つまりステップＦ６０４，Ｆ６０５では、特定の時間帯であるか否かという判断を行うようにすればよい。
【００８３】
［９．画像撮像処理動作例VII］
次に画像撮像処理動作例VIIを図１３、図１４を用いて説明する。
この画像撮像処理動作例VIIは、撮像装置１を装着しているユーザの移動速度を、撮像動作設定に反映させる例である。
ユーザは、日常行動において、或る場所で静止している場合や、或る地区を歩いている場合、走っている場合、更には自動車、電車、バス、自転車などに乗って移動している場合など、移動速度という点で様々な状態が考えられる。
【００８４】
撮像画像の品質を異なるようにする撮像動作設定としては、どのような状況において画質を高画質としたり、或いは撮像間隔を変化させたりするのがよいかは多様に考えられる。  １つの例として、比較的早く移動している場合は、ユーザにとって周りの光景は単に通過点としてあまり注意していなかったり、思い出として残りにくいことから、撮像される画像は、さほど後にユーザ自身が興味を持つものでもないため、圧縮率や画サイズの点で低画質でもよいと考えることができる。
或いは、比較的早く移動している場合であって、ユーザ自身があまり気にとめていない光景については、後の時点で良く見たいと考えることもあるとすれば、逆に移動速度が速い場合は、高画質とする考え方もある。
また、比較的早く移動している場合は、ユーザから見える光景の変化が大きいため、撮像間隔を短くすることが好適とも考えることができる。
逆に、電車やバスに乗っているような状況を考えると、車内の同じような光景が撮像されることを考えれば、撮像間隔を長くすることが好適な場合もある。
【００８５】
つまり、移動速度を撮像動作設定に反映させる場合、移動速度が速い場合と遅い場合のどちらを、画質や撮像間隔として優位な設定とするかは、実際の使用形態やユーザの意向によって多様に考えられるが、ここでは、その１つの例を挙げて、ユーザの移動速度を撮像動作設定に反映される処理例を説明する。
【００８６】
システムコントローラ２は、ユーザの移動速度（撮像装置１自体の移動速度）を判別するために、例えば常時図１３の処理を実行するようにする。
ステップＦ７０１では、システムコントローラ２は位置検出部１０で得られる位置情報を現在位置Ｐｎとして保持する。また日時計数部１１で得られる現在の日時情報（例えば年月日時分秒）を現在時刻Ｔｎとして保持する。
【００８７】
図１３の処理を開始して最初にステップＦ７０２に進んだ場合は、そのままステップＦ７０４→Ｆ７０５と進み、上記現在位置Ｐｎを直前位置としての変数Ｐｐに代入し、また現在時刻Ｔｎを直前時刻としての変数Ｔｐに代入する。
そしてステップＦ７０１に戻り、再びシステムコントローラ２は位置検出部１０で得られる位置情報を現在位置Ｐｎとし、また日時計数部１１で得られる現在の日時情報を現在時刻Ｔｎとする。
ステップＦ７０１の処理としての２回目が行われた以降は、システムコントローラ２は処理をステップＦ７０２からＦ７０３に進め、ここで現在の速度Ｖｎを算出する。
即ち現在位置Ｐｎと直前位置Ｐｐの差分により、移動距離を算出し、また現在時刻Ｔｎと直前時刻Ｔｐの差分により、移動時間を算出する。そして移動距離から移動時間を除算して現在の速度Ｖｎを求める。
そしてステップＦ７０４からＦ７０５に進み、現在位置Ｐｎを直前位置Ｐｐに代入し、また現在時刻Ｔｎを直前時刻Ｔｐに代入してステップＦ７０１に戻る。
その後は、電源オフや自動撮像動作の停止などにより、ステップＦ７０４でこの速度検出動作が終了とされるまで、ステップＦ７０１→Ｆ７０２→Ｆ７０３→Ｆ７０４→Ｆ７０５→Ｆ７０１・・・という処理を繰り返す。
これによって、常時ステップＦ７０３で算出される速度Ｖｎを、現在の速度として把握できることになる。
【００８８】
なお、ここでは、システムコントローラ２が図１３の処理を行って現在速度Ｖｎを常に検出できるようにしているが、例えば図２の構成において、この図１３のような処理を行う速度検出部をシステムコントローラ２とは別体に設け、速度検出部がシステムコントローラ２に現在の速度情報Ｖｎを提供できるようにしてもよい。
【００８９】
システムコントローラ２は、撮像動作設定のための処理として図１４の処理を行う。
システムコントローラ２は図１４のステップＦ８０１、Ｆ８０２として、上記図５のステップＦ１０１，Ｆ１０２と同様に、例えば定期的な時間間隔としての撮像タイミングとなったら、現在の位置情報と、行動履歴データベースを用いて、現在居る場所が、過去に何回訪れた場所であるかを判別する。
そしてステップＦ８０３では、現在位置が過去にＣｔｈ１回以上訪れた場所であるか否かにより、処理を分岐する。
【００９０】
現在居る場所について過去に訪れた回数（過去に自動撮像を行った回数）が、閾値Ｃｔｈ１以上であり、頻繁に訪れる場所と判定したら、システムコントローラ２はステップＦ８０６に進み、非優位設定として標準品質の撮像を指示する。これにより撮像制御部４は、撮像部３で得られた撮像画像データについて非優位設定としての高い圧縮率での圧縮処理を行い、保存すべき静止画像としてストレージ部８に転送する。ストレージ部８では転送されてきた撮像画像データを保存する。
【００９１】
一方、現在居る場所について過去に訪れた回数（過去に自動撮像を行った回数）が、閾値Ｃｔｈ１未満であり、あまり訪れない場所と判定したら、システムコントローラ２はステップＦ８０４に進み、現在の速度Ｖｎを確認し、この速度Ｖｎが所定の比較基準速度Ｖｔｈ以上であるか否かを判別する。
即ちシステムコントローラ２は、上記図１３の処理を並行して行っているが、このステップＦ８０４の時点で、図１３のステップＦ７０３により保持されている速度Ｖｎ、つまり現在の速度を確認する。そしてこの速度Ｖｎを、予め決められている比較基準速度Ｖｔｈと比較する。
現在の速度Ｖｎが、比較基準速度Ｖｔｈ以上であれば、ステップＦ８０６に進み、標準設定で撮像指示を行う。これにより非優位設定としての標準的な画質で撮像画像データが保存される。
現在の速度Ｖｎが、比較基準速度Ｖｔｈより遅ければ、ステップＦ８０５に進み、優位設定として高品質の撮像を指示する。これにより撮像制御部４は、撮像部３で得られた撮像画像データについて優位設定としての低い圧縮率での圧縮処理を行い、保存すべき静止画像としてストレージ部８に転送する。ストレージ部８では転送されてきた撮像画像データを保存する。
【００９２】
システムコントローラ２はステップＦ８０５又はＦ８０６の処理を行ったら、ステップＦ８０７で、図５のステップＦ１０６と同様に現在位置に応じて行動履歴データベースの更新を行って処理を終える。
【００９３】
この図１４の処理により、次のような動作が実行される。
頻繁に訪れる場所では、非優位設定で撮像（画像保存）が行われる。
あまり訪れない場所であっても、移動速度が比較的速い場合（例えば乗り物に乗っていると推定されるような場合）は、非優位設定で撮像（画像保存）が行われる。
あまり訪れない場所であって、移動速度が比較的遅い場合（例えばユーザ自身が静止又は歩行状態と推定されるような場合）は、優位設定で撮像（画像保存）が行われる。
【００９４】
つまり、訪問回数によって撮像動作設定を優位設定と非優位設定で切り換えることを基本としながらも、あまり訪れない場所であっても、例えば乗り物に乗っていると推定されるような場合は、ユーザにとっては、その時点の光景はさほど貴重な画像とはならないとして非優位設定で撮像（画像保存）が行われるようにされるものである。
【００９５】
もちろん処理例は多様に考えられる。例えばステップＦ８０４で速度が速いと判断された場合に、ステップＦ８０５に進んで優位設定がなされるようにしてもよい。
また現在位置が頻繁に訪れる場所で或る場合に、現在の速度に応じて撮像動作設定を切り換えるようにしてもよい。
また、頻繁に訪れる場所で高速移動時、頻繁に訪れる場所で低速又は静止時、あまり訪れない場所で高速移動時、あまり訪れない場所で低速又は静止時という４つの状況を区別して、それぞれの場合に、撮像動作設定を４とおりに切り換えるようにしてもよいし、４つの各状況の場合に同様な撮像動作設定を行うかを、ユーザが選択できるようにしてもよい。
【００９６】
また、図１４では画像品質の設定変更という点で述べているが、特に移動速度を反映させる場合については、撮像間隔の切換も好適なものとなる。
その場合、高速移動によって光景の変化が大きいことを考慮すれば、あまり訪れない場所での高速移動時には、優位設定として撮像間隔を短くするような撮像動作設定が考えられる。
また逆に、高速移動の場合は、ユーザの目的への移動中などであって、あまり思い出に残らないような光景が多いと考えれば、あまり訪れない場所であっても、高速移動時には、非優位設定として撮像間隔を長くするような撮像動作設定もあり得る。
【００９７】
なお、ここでは優位設定と非優位設定の２段階に撮像動作設定を切り換えることとしたが、速度に応じて、より多段階に撮像動作設定を切り換えるようにしてもよい。
【００９８】
［１０．画像撮像処理動作例VIII］
上記のように、現在の速度を撮像動作設定に反映させる場合、例えば速度の高低のどちらを優位設定、非優位設定に対応させるかは、多様に考えられる。また高速移動時であるとしたら、どのような状況で高速で移動しているのかは多様に考えられる。例えば電車に乗っているのか、車に乗っているのか、自転車に乗っているのか、走っているのか、などの各状況である。
ここでは、電車やバスなどの公共交通機関に乗っている状況を想定した処理例を説明する。
【００９９】
例えば位置検出部１０で位置情報を検出したときに、地図データベースを参照することで、ユーザの現在位置が鉄道やバス路線などの経路上であるか否かを判別することができる。その際に、例えば上記図１３の処理で現在の速度Ｖｎを検出すると、ユーザが交通機関を利用して移動しているのか否かを推定することが可能となる。
例えば図１５のような状況を考える。図１５では、例えば自動撮像を行う撮像タイミング毎におけるユーザの位置を例示しているが、位置Ｐ(1)、Ｐ(2)、Ｐ(3)は、ユーザが電車に乗っている場合において、撮像タイミング毎に検出された位置情報であるとする。
一方、位置ＷＰ(1)、ＷＰ(2)・・・ＷＰ(7)は、ユーザが鉄道の路線に沿って歩いている状況で、撮像タイミング毎に検出された位置情報であるとする。
【０１００】
そして、例えば位置検出のみでは、鉄道に乗っているのか、或いは鉄道に沿って歩いているのかは判定するのは困難であるが、図１３で述べたようにして速度Ｖｎを検出していれば、鉄道に乗っているのか、或いは鉄道に沿って歩いているのかを判定できる。
そしてユーザが歩いているのであれば、基本的には頻繁に訪れた場所であるか否かにより撮像動作設定を切り換えればよい。
またユーザが電車に乗っているのであれば、撮像される画像は、電車内のあまり変わり映えのない画像となる可能性が高いため、あまり訪れない場所であったとしても、優位設定とする必要はないと考えることができる。
【０１０１】
図１６では、このような考え方に基づいたシステムコントローラ２の処理例を示している。なおこの場合も、システムコントローラ２は図１３の速度検出処理を並行して実行しているものとする。
【０１０２】
システムコントローラ２は図１６のステップＦ９０１、Ｆ９０２として、上記図５のステップＦ１０１，Ｆ１０２と同様に、例えば定期的な時間間隔としての撮像タイミングとなったら、現在の位置情報と、行動履歴データベースを用いて、現在居る場所が、過去に何回訪れた場所であるかを判別する。
そしてステップＦ９０３では、現在位置が過去にＣｔｈ１回以上訪れた場所であるか否かにより、処理を分岐する。
【０１０３】
現在居る場所について過去に訪れた回数（過去に自動撮像を行った回数）が、閾値Ｃｔｈ１以上であり、頻繁に訪れる場所と判定したら、システムコントローラ２はステップＦ９０７に進み、非優位設定として標準品質の撮像を指示する。これにより撮像制御部４は、撮像部３で得られた撮像画像データについて非優位設定としての高い圧縮率での圧縮処理を行い、保存すべき静止画像としてストレージ部８に転送する。ストレージ部８では転送されてきた撮像画像データを保存する。
【０１０４】
一方、現在居る場所について過去に訪れた回数（過去に自動撮像を行った回数）が、閾値Ｃｔｈ１未満であり、あまり訪れない場所と判定したら、システムコントローラ２はステップＦ９０４に進み、現在位置は交通機関の路線沿いの位置か否かを判断する。即ち現在位置情報に基づいて地図データベースを参照し、現在位置が、鉄道やバスの路線上の位置であるか否かを判別する。
【０１０５】
現在位置が交通機関の路線沿いでなければ、ステップＦ９０６に進み、優位設定として高品質の撮像を指示する。これにより撮像制御部４は、撮像部３で得られた撮像画像データについて優位設定としての低い圧縮率での圧縮処理を行い、保存すべき静止画像としてストレージ部８に転送する。ストレージ部８では転送されてきた撮像画像データを保存する。
【０１０６】
ステップＦ９０４で、現在位置が交通機関の路線沿いであると判定した場合は、ステップＦ９０５で、現在の速度Ｖｎを確認し、この速度Ｖｎが所定の比較基準速度Ｖｔｈ以上であるか否かを判別する。
即ちシステムコントローラ２は、並行して行っている上記図１３の処理により、現時点で、図１３のステップＦ７０３により保持されている速度Ｖｎ、つまり現在の速度を確認する。そしてこの速度Ｖｎを、予め決められている比較基準速度Ｖｔｈと比較する。この場合、比較基準速度は、電車やバスの移動速度と、人の移動速度の判別できる速度とする。例えば２０〜３０ｋｍ／ｈ程度の値とすればよい。
【０１０７】
現在の速度Ｖｎが、比較基準速度Ｖｔｈ以上であれば、ユーザは電車やバスに乗っていると推定し、ステップＦ９０７に進んで、標準設定で撮像指示を行う。これにより非優位設定としての標準的な画質で撮像画像データが保存される。
現在の速度Ｖｎが、比較基準速度Ｖｔｈより遅ければ、ユーザは歩行中などであると推定してステップＦ９０６に進み、優位設定として高品質の撮像を指示する。これにより優位設定としての高画質で撮像画像データが保存される。
【０１０８】
システムコントローラ２はステップＦ９０６又はＦ９０７の処理を行ったら、ステップＦ９０８で、図５のステップＦ１０６と同様に現在位置に応じて行動履歴データベースの更新を行って処理を終える。
【０１０９】
この図１４の処理により、次のような動作が実行される。
頻繁に訪れる場所では、非優位設定で撮像（画像保存）が行われる。
あまり訪れない場所であっても、交通機関の路線上の位置で移動速度が比較的速く、電車やバスに乗っていると推定される場合は、非優位設定で撮像（画像保存）が行われる。
あまり訪れない場所であって、交通機関の路線上の位置ではない場合、或いは路線上の位置であっても移動速度が比較的遅い場合は、優位設定で撮像（画像保存）が行われる。
【０１１０】
つまり、訪問回数によって撮像動作設定を優位設定と非優位設定で切り換えることを基本としながらも、あまり訪れない場所であっても、例えば電車やバスに乗っていると推定されるような場合は、ユーザにとっては、その時点の光景はさほど貴重な画像とはならないとして非優位設定で撮像（画像保存）が行われるようにされるものである。
【０１１１】
なお、ここではステップＦ９０６，Ｆ９０７は撮像画像データの画質（圧縮率）の切換制御という例で述べたが、画サイズ設定でもよいし、またこのステップＦ９０６，Ｆ９０７で、次回以降の自動撮像までの撮像間隔を切り換えるようにしてもよい。例えばステップＦ９０６では撮像間隔を短くするように設定し、ステップＦ９０７では標準的な撮像間隔を設定する。
【０１１２】
ところで、電車やバスに乗っている場合において、車内光景は、さほど画像としての価値が高くないとして非優位設定を行うようにしたが、電車やバスの乗車時であっても、車窓風景を撮像している場合は、ユーザにとって比較的価値の高い画像となることが考えられる。
その意味では、電車やバスに乗っている場合に、優位設定を行うとすることも考えられる。
また、撮像装置１が、車内風景を被写体としているのか、車窓風景を被写体としているのかを自動的に判別してもよい。例えば図１６の処理において、ステップＦ９０５で速度が速く、電車等に乗車中と判断した場合、被写体が車内光景か車窓光景かを判断する。例えば撮像部３で得られる撮像画像データの各フレームの輝度比較を行って、画像内容が大きく変化しているか否かで、車内光景か車窓光景かを推定できる。又は、単に輝度レベルを所定の閾値と比較することでも、車内光景か、昼間の車窓光景かを推定できる。
このような推定により、車窓光景を被写体としていると判断した場合は、ステップＦ９０６に進み、優位設定として高画質の設定、或いは撮像間隔を短くする設定を行うようにしてもよい。
【０１１３】
［１１．実施の形態の効果及び変形例］
以上説明した本実施の形態によれば、ユーザの行動に応じて、自動撮像動作での撮像動作設定を適応的に切り換える制御が行われる。
例えば定期的な間隔として自動撮像を実行する際に、現在位置が、ユーザが頻繁に訪れる場所であるか否かなどの判定に応じて、画質（圧縮率）や画像サイズを切り換えたり、撮像間隔を変化させたりする。これによって、自動撮像においてユーザの行動に応じて適切に撮像画像データを取得し、画像を保存することができる。
特に、普段訪れない場所であれば、高品位の画像データが撮像されたり、撮像間隔が短くされる。これによってユーザにとって価値の高い撮像画像、例えばユーザが普段あまり見ない光景の画像が、高品位で保存されたり、多数撮像されることになる。
一方、頻繁に訪れる場所であれば、ユーザにとって撮像画像の価値はさほど高くないが、その場合、低品位の画像データが撮像されたり、撮像間隔が長くなるなどされて、記録容量をむやみに消費しない適切な画像保存が実現される。
【０１１４】
また、自動撮像時には、現在の位置だけでなく、現在日時として休日か否かの条件や、特定の時間帯であるか否かによって、画像品質や撮像間隔を切り換えることでも、ユーザにとって適切な自動撮像が行われることになる。
さらに、移動速度を検出して、画像品質や撮像間隔を切り換えることでも、ユーザにとって適切な自動撮像が行われることになる。
これらにより、ライフログとして自動撮像を行う動作が、ユーザの行動等に合わせた適切な動作となる。
【０１１５】
以上、本発明の実施の形態について説明したが、本発明としてはこれまでに説明した実施の形態に限定されず、多様な変形例が考えられる。
上記例としては静止画撮像という観点で説明したが、動画撮像を行う撮像装置であっても本発明は適用できる。
例えば常時継続的に動画撮像を行う撮像装置を考えた場合、フレームレート、画サイズ、圧縮率を、逐次、現在位置がよく訪れる場所であるか否かの判断に応じて設定変更することが考えられる。例えば、あまり訪れない場所では優位設定として高フレームレート、低圧縮率で動画撮像を行い、頻繁に訪れる場所では、低フレームレート、高圧縮率の動画撮像に切り換えるなどである。
【０１１６】
また動画撮像は、常時継続的に撮像を行うほか、例えば断続的に一定時間だけ動画撮像を行うような動作方式も考えられるが、そのような場合、フレームレート、画サイズ、圧縮率、撮像間隔を、現在位置がよく訪れる場所であるか否かによって切り換えることが考えられる。
もちろん動画撮像の場合においても、現在位置による設定変更だけでなく、実施の形態で述べたように、日時情報や速度情報を撮像動作設定に反映させることもできる。
【０１１７】
さらには、動画撮像を、静止画撮像に対する優位設定として、静止画撮像、動画撮像を切り換えることも考えられる。
例えば、頻繁に訪れる場所では、静止画撮像を行い、あまり訪れない場所では優位設定として継続的もしくは断続的な動画撮像を行うという動作例である。
【０１１８】
また静止画撮像、動画撮像にかかわらず、上述した実施の形態で述べた設定条件を多様に組み合わせることもできる。
例えば、頻繁に訪れる場所であるか否かという条件と、現在の日付が休日であるか否か（又は現在時刻が特定の時間帯であるか否か）という条件と、現在速度が所定速度以上か否かという条件を組み合わせて、２段階、或いは３段階以上で撮像動作設定を切り換えるようにすることもできる。
【図面の簡単な説明】
【０１１９】
【図１】本発明の撮像装置の外観例の説明図である。
【図２】実施の形態の撮像装置のブロック図である。
【図３】実施の形態の行動履歴データベースの説明図である。
【図４】実施の形態の撮像装置のユーザの行動と撮像動作設定の説明図である。
【図５】実施の形態の画像撮像処理動作例Iのフローチャートである。
【図６】実施の形態の画像撮像処理動作例Iにおける撮像動作設定の説明図である。
【図７】実施の形態の画像撮像処理動作例IIのフローチャートである。
【図８】実施の形態の画像撮像処理動作例IIにおける撮像動作設定の説明図である。
【図９】実施の形態の画像撮像処理動作例IIIのフローチャートである。
【図１０】実施の形態の画像撮像処理動作例IVのフローチャートである。
【図１１】実施の形態の画像撮像処理動作例Vのフローチャートである。
【図１２】実施の形態の画像撮像処理動作例VIのフローチャートである。
【図１３】実施の形態の画像撮像処理動作例VII,VIIIにおける速度検出処理のフローチャートである。
【図１４】実施の形態の画像撮像処理動作例VIIのフローチャートである。
【図１５】実施の形態の画像撮像処理動作例VIIIの説明図である。
【図１６】実施の形態の画像撮像処理動作例VIIIのフローチャートである。
【符号の説明】
【０１２０】
１  撮像装置、２  システムコントローラ、３  撮像部、３ａ  撮像光学系、３ｂ  撮像素子部、３ｃ  撮像信号処理部、４  撮像制御部、５  表示部、６  表示制御部、７  操作入力部、８  ストレージ部
【図１】
0004416022.tif 000002
【図２】
0004416022.tif 000003
【図３】
0004416022.tif 000004
【図４】
0004416022.tif 000005
【図５】
0004416022.tif 000006
【図６】
0004416022.tif 000007
【図７】
0004416022.tif 000008
【図８】
0004416022.tif 000009
【図９】
0004416022.tif 000010
【図１０】
0004416022.tif 000011
【図１１】
0004416022.tif 000012
【図１２】
0004416022.tif 000013
【図１３】
0004416022.tif 000014
【図１４】
0004416022.tif 000015
【図１５】
0004416022.tif 000016
【図１６】
0004416022.tif 000017